(57)【特許請求の範囲】
【請求項１】
戸板に固定される受けケースと、走行体を備え且つ前記走行体の位置を上下左右に調整可能な調整機構を設けた前記受けケースに着脱可能な支持部材とから成り、前記受けケースの両側壁の上端には内向きのガイド突起が対向して設けられ且つ受けケースの前方部の底壁にはロック穴が穿設されていると共に、前記支持部材の下方には前記ガイド突起とスライド可能に係合するガイド溝が設けられ且つ支持部材の下面の前方部にはガイド面を下面に有する係合突起部と前面にロック解除用工具の係合溝が形成されたロック部材が前記ロック穴に弾性的に係合するようにスプリングで下方へ付勢された状態に且つ前記ロック部材が下面から出没可能に前記支持部材に内蔵した状態で支持部材に装着されており、前記支持部材のガイド溝と受けケースのガイド突起の挿入端の位置を合わせ、支持部材を受けケースに押し込んでスライド係合させると、支持部材を押し込み切った位置でスプリングによって付勢されているロック部材がロック穴に自動的に係合し、支持部材の下面が受けケースの上面に重なる状態に且つ前記ロック解除用工具の係合溝が前記ケース本体の正面における下端に形成されたロック解除用工具の挿入口に合わせてワンタッチで結合することを特徴とする吊戸の走行体支持装置。
【発明の詳細な説明】
【０００１】
【発明の属する技術分野】
本発明は、間仕切り等の吊戸において、戸板をレールの下方に沿って走行させるために戸板に取り付けられる吊戸の走行体支持装置に関する。
【０００２】
【従来の技術】
従来より、吊戸の走行体支持装置として、例えば、実公平６−２４５４１号公報に開示されているように、レール上を走行する走行体を支持軸を介して支持する支持部材と、戸板の上角部に埋設状態に固着される受けケースとを有し、戸板の建て付け時に前記支持部材と受けケースとを係合固定することにより、戸板の上角部内に走行体の支持装置を構成するものが知られている。
【０００３】
上記の走行体の支持装置を使用した吊戸の建て付けは、レールに走行体を装着しておき、レール上の走行体から垂下している支持部材と戸板側に固定されている受けケースとを組み付けるものであり、組み付けた支持部材の戸板への固着はドライバを使ってビス止めで行われていた。この建て付け作業は、作業員が戸板を手で支持しながら手を高く伸ばして行うので作業員の負担が大きいうえに時間がかかって作業性が悪かった。
【０００４】
そこで、上記の建て付け時の作業性の悪さを改善する為に、特開平７−９１１３４号公報や特開平１０ー７２９６６号公報には、ドライバを使うビス止め作業をすることなく支持部材と受けケースとを組み付けることができる走行体支持装置が開示されている。
【０００５】
特開平７−９１１３４号公報に記載のものは、支持部材は上下摺動可能にスプリングで付勢されたロック体を有し、該ロック体は支持部材の側面のガイド溝から突出する係合突部と正面につまみ片を備えており、受けケースには係合突部を受け入れる挿入溝と、挿入溝の奥で係合突部を係合する係合段部が設けられている。支持部材を受けケースに組み付けるときは、支持部材のロック体をつまみ片で押し下げた状態で受けケースに押し込み、つまみ片を離してスプリングによってロック体を押し上げてロック体の係合突部と受けケースの係合段部とを係合ロックさせるものである。
【０００６】
この従来の走行体支持装置では、ドライバを使うビス止め作業をなくしたものの、手を高く伸ばしてつまみ片を押し下げながら組み付けし操作をしロックさせるものであるので、建て付け時における作業者の負担が軽減されたとは言えなかった。また、近年、熟練者の不足から戸板のレールへの建て付け後、走行体の支持装置の正面から戸板と走行体の相対的位置を調整可能とした調整機構を設けたものが要望されているが、上記従来のものは、戸板と走行体の相対的位置の調整機構がなく、時代の要求に対応しなくなっている。
【０００７】
特開平７−９１１３４号公報に記載のものは、受けケースに、受けケースと支持部材を係合ロックするための係合溝を設け、支持部材に、一体形成された上下の可動片の中途部に前記係合溝に係合する係合突起を設け、前記可動片には案内面が形成されている。この装置は、可動片の弾性を利用して受けケースに支持部材を押し込むと、案内面の案内により可動片が弾性変形し係合溝と係合突起とが係合してロックされるものである。従って、支持部材と受けケースを押し当てるだけでロックでき、且つ支持装置に走行体を上下方向に調整可能な調整機構を有している。
【０００８】
【発明が解決しようとする課題】
しかしながら、近年、未熟な作業者が多いことから、戸板が簡単に建て付けできるに止まらず、走行体を上下方向のみならず左右方向へも調整できると共に走行体支持装置がコンパクトあることが望まれている。前記従来の走行体支持装置は、走行体を上下に調整できる調整機構を有しているものの、左右方向の調整機構は有しておらず、近年の要望に対応していなかった。
【０００９】
本発明は、上記の問題に鑑みてなされたもので、走行体を支持する支持部材に上下左右二方向へ調整可能な調整装置を備える共に、全体が大形化することなく前記支持部材と戸板に固着された受けケースが簡単にロックする支持装置にすることにある。
【００１０】
【課題を解決するための手段】
本発明は、上記の問題を解決するために、戸板に固定される受けケースと、走行体を備え且つ前記走行体の位置を上下左右に調整可能な調整機構を設けた前記受けケースに着脱可能な支持部材とから成り、前記受けケースの両側壁の上端には内向きのガイド突起が対向して設けられ且つ受けケースの前方部の底壁にはロック穴が穿設されていると共に、前記支持部材の下方には前記ガイド突起とスライド可能に係合するガイド溝が設けられ且つ支持部材の下面の前方部にはガイド面が形成されたロック部材が前記ロック穴に弾性的に係合するようにスプリングで下方へ付勢された状態に装着されている構成とした。
【００１１】
上記の構成としたことにより、支持部材のガイド溝と受けケースのガイド突起の挿入端の位置を合わせ、支持部材を受けケースに押し込んでスライド係合させると、支持部材を押し込み切った位置でスプリングによって付勢されているロック部材がロック穴に自動的に係合する。これにより上下左右二方向の調整機構を備えた支持部材が受けケースの上面に重なるコンパクトな状態にワンタッチで結合する。
【００１２】
また、正面にロック解除用工具の挿入口が設けられている共に、ロック部材の前方に前記ロック解除用工具の先端が係合する係合溝が設けられていることにより、支持部材と受け部材の結合を解除するときは、ドライバ等の解除用工具を挿入口から差し込んでロック部材の係合溝に当て、スプリングの付勢力に抗してロック部材を突き上げてロック状態を解除し、そのまま支持部材をロック部材から引き抜くことにより分離する。
【００１３】
【発明の実施の形態】
以下、本発明の好適な実施の形態を添付図面を参照しながら詳細に説明する。
【００１４】
図１乃至図８は、本発明の吊戸の走行体支持装置の実施の形態を示しており、図１は側面図、図２は戸板に取り付けられた状態の正面図、図３は戸板に取り付けられた状態の断面図であり、図示のように、走行体支持装置Ｓは、戸板４０に固定される受けケース３０と、走行体２を備え且つ前記走行体２の位置を正面３から上下左右に調整できる調整機構４を設けた前記受けケース３０に着脱可能な支持部材１とから構成されている。
【００１５】
受けケース３０は、段部を形成する当接面３１を介してその前方部の側壁の低い部分と、その後方部の、図７に示すように、高い両側壁３３、３３の上端で内向きに対向するガイド突起３４が設けられた断面形状がＵ字形の部分３５と、後方部３５の後端に起立する奥壁３６とを有して構成されており、この受けケース３０の前方部３２の底壁３７にはロック穴３８が穿設されている。
【００１６】
該受けケース３０は、戸板４０上部の角部にあって上面と前面を開放した状態に刻設された取付穴４１内に３本のビス４２で固定さている。
【００１７】
支持部材１は、上面が開放されたケース本体５と、前記ケース本体５の上面から突出して走行体２を軸回転可能に軸支する支持軸６と、ケース本体５の正面３に露出した左右方向調整部４ａとその下方の上下方向調整部４ｂを使って走行体２を上下左右に変位できる前記ケース５内にコンパクトに組み込まれた調整機構４とから構成されている。
【００１８】
ケース本体５は、前記受けケース３０の前方部の側壁の低い部分３２に対応する前方部５ａが下方に突出しており、この突出部５ａには、ロック穴３８に係合するロック部材７の収納部８が形成されている。また、前記受けケース３０の後方部３５に対応するケース本体５の後方部下方の両側面には、図６に示すように、前記ガイド突起３４とスライド可能に係合するガイド溝１０が設けられている。このように、受け部材３０のガイド突起３４と支持部材１のガイド溝１０とでガイド機構を構成して係脱可能とすると共に、受け部材３０のロック穴３８と支持部材１のロック部材７とでロック機構を構成して抜け出し不能にロックするようになっている。また、ケース本体５の正面３の下端はロック解除用工具４５の挿入口１１となっている。
【００１９】
ロック部材７は、ガイド面７ａを下面に有する係合突起部７ｂと前面にロック解除用工具４５の係合溝７ｃを有しており、スプリング９で下方へ付勢された状態で収納部８から抜け出し不能に装着されている。
【００２０】
支持部材１内に組み込まれた走行体２の調整機構４における左右方向の調整機構は、太軸部１６の正面側に左右方向調整部４ａと多角辺の係止部１５が設けられていると共に太軸部１６の裏側中心にカギ形のカム片１７が設けられてなるカム部材１８と、前記カム片１７が挿入する縦楕円形のカム穴２１が穿設されケース本体５に左右方向へ移動可能に組み付けられたスライダー２０と、カム部材１８とスライダー２０の間に介在してカム部材１８を前方に付勢するスプリング２２と、スライダー２０を下方から挟み込むようにＵ字状の端面形状に形成され下方に係合溝２４を有する枠体２３とを備え、枠体２３がスライダー２０に上下方向回動可能に支持杆１９で軸着されていると共に枠体２３の後方部には走行体２の支持軸６が上下動可能に軸着されて構成されている。
【００２１】
上記の左右方向の調整機構で調整するときは、ドライバ（図示省略）を使って正面３から左右方向調整部４ａをスプリング２２の付勢力に抗して押圧することにより、カム部材１８の多角辺からなる係止部１５とケース本体５の係止面との回り止め係合を解除し、更にカム部材１８を左右何れかに回動することによりカム片１７でカム穴２１を左右方向に押してスライダー２０を移動させる。スライダー２０の移動により走行体２が左右方向に変位したところで、ドライバの押圧を中止すると、スプリング２２の付勢力で係止部１５とケース本体５の係止面とが係合し、変位した位置でロックする。
【００２２】
また、支持部材１内に組み込まれた走行体２の調整機構４における上下方向の調整機構は、上下方向調整部４ｂを正面３に露出しケース本体５の正面３から上記左右方向の調整機構の下方に螺入した上下調整ネジ２５と、ケース本体５の係合溝５ｂに係合して上下調整ネジ２５の軸回りに回動不能に取り付けられていると共に、上部を前記枠体２３の係合溝２４と係合する調整板２６とで構成されている。
【００２３】
上記の上下方向の調整機構では、正面３からドライバの先を上下方向調整部４ｂに差し込んで調整ネジ２５を左右何れかに回すと、調整板２６が前進・後退する。この調整板２６の動きで枠体２３の係合溝２４を介して支持杆１９を支点に走行体２の支軸６を上下させることにより走行体２の上下方向の位置を調整するものである。
【００２４】
以上のように、本実施の支持部材１にあっては、調整機構４がケース本体５内にコンパクトに組み込まれている。図５は、走行体支持装置Ｓが、支持部材１と戸板４０に固定された受けケース３０とに分離されている状態を示しており、これを結合するには、支持部材１を支持部材１の後方から受けケース３０の前方開放面に押し込んで支持部材１下方のガイド溝１０とガイド突起３４の挿入端の位置を合わせ、支持部材１を受けケース３０に縦に重ねた状態で二部材を結合方向へスライドさせる。
【００２５】
スライドに伴いロック部材７が受けケース３０の底壁３７の先端に当たると、ロック部材７はそのガイド面７ａで案内されてスプリング９を圧縮して底壁３７の上面を摺動し、スプリング９の圧力で係合突起部７ｂがロック穴３８に自動的に挿入してロックする。ロック機構を何ら操作することなくワンタッチで結合すると共に、ロック部材７はコイルスプリング９で付勢されているので確実にロック状態が維持される。
【００２６】
走行体支持装置Ｓによりレール（図示省略）に吊設された後の戸板４０は、ドライバを使って正面３に露出している調整機構４の左右方向調整部４ａと上下方向調整部４ｂを操作することにより、その走行体２との相互位置を簡単に調整することができる。
【００２７】
戸板４０をレールから取り外すために、戸板４０に固定された走行体支持装置Ｓを支持部材１と受けケース３０とに分離するときは、図８に示すように、ケース本体５の正面３下端の挿入口１１からドライバ等の解除用工具４５を挿入し、ロック部材７の係合溝７ｃに先端を差し込み、スプリング９の付勢力に抗してロック部材７を突き上げてロックを解除し、その状態で支持部材１を引き出せばよい。
【００２８】
【発明の効果】
本発明は、以上説明したような形態で実施され、以下に記載されるような効果を奏する。
【００２９】
走行体を上下左右に調整できる調整機構をケース本体内にコンパクトに組み込んだ支持部材の下方にガイド溝を設け、このガイド溝と受けケースの上端に設けたガイド突起とを係合させることにより、支持部材を受けケースの上面に重なるコンパクトな状態に結合するように構成したので、上下左右の調整ができる走行体支持装置を大形化することなく取り付け作業性のよいもとすることができる。
【００３０】
また、ガイド機構に沿って支持部材を受けケースに押し込んでスライドさせれば、支持部材を押し込み切った位置で自動的にロック機構がはたらいてワンタッチで簡単にロックさせることができるようにしたので、作業者の建て付け作業時の負担が軽減化され、未熟な作業者でも迅速に吊戸の建て付けができる。
【図面の簡単な説明】
【図１】本発明の吊戸の走行体支持装置の実施の形態を示す側面図。
【図２】図１の走行体支持装置の戸板に装着された状態を示す正面図。
【図３】図１の走行体支持装置の断面図。
【図４】図３に示す走行体支持装置におけるＡ矢視方向の断面図。
【図５】図３に示す走行体支持装置を支持部材と受けケースとに分離した状態を示す断面図。
【図６】図５に示す走行体支持装置におけるＢ矢視方向の部分断面図。
【図７】図５に示す走行体支持装置における受けケースのＣ矢視方向の断面図。
【図８】図３に示す走行体支持装置のロック機構を解除する操作状態を示す断面図。
【符号の説明】
１  支持部材，２  走行体，３  正面，４  調整機構，５  ケース本体，７  ロック部材，７ａ  ガイド面，７ｃ  係合溝，９  スプリング，１０  ガイド溝，１１  挿入口，３０  受けケース，３３  側壁，３４  ガイド突起，３７  底壁，３８  ロック穴，４０  戸板，４５  ロック解除用治具，
【図１】
0004750248.tif 000002
【図２】
0004750248.tif 000003
【図３】
0004750248.tif 000004
【図４】
0004750248.tif 000005
【図５】
0004750248.tif 000006
【図６】
0004750248.tif 000007
【図７】
0004750248.tif 000008
【図８】
0004750248.tif 000009